(57)【特許請求の範囲】
【請求項１】
第１パスワードを要求する印刷出力に際して作成されたビットマップデータを再利用するための画像操作装置であって、
操作者からの入力を受け付ける操作部と、
前記操作部から入力された情報と、前記第１パスワードを参照して生成された前記ビットマップデータの再利用に関する制限情報としての第２パスワードとを照合することによって、前記操作者による前記ビットマップデータの再利用を許可するか否かを判断する制御部と、
を備え、
前記ビットマップデータの再利用は、所定ファイル形式への変換であることを特徴とする画像操作装置。
【請求項２】
前記第２パスワードは、前記第１パスワードと同一のパスワードであることを特徴とする請求項１に記載の画像操作装置。
【請求項３】
前記制御部は、前記操作者に前記ビットマップデータの所定ファイル形式への変換を許可した後、操作後の所定ファイル形式のデータファイルに前記制限情報を適用するか否かの選択を促す情報を通知することを特徴とする請求項1又は２に記載の画像操作装置。
【請求項４】
各種情報を表示する表示部を備え、
前記制御部は、前記選択を促す情報を前記表示部に表示することを特徴とする請求項３に記載の画像操作装置。
【発明の詳細な説明】
【技術分野】
【０００１】
本発明は画像操作装置に関する。
【背景技術】
【０００２】
ＰＣ（Personal Computer）等で作成された文書ファイルの秘匿性を維持するための機
能として、例えば、ＰＤＦ（Portable Document Format）に代表されるように、パスワードを入力しないとファイルを開くことができない機能や、プリンタドライバで印刷ジョブを送信する場合の機密印刷機能などがある。また、特許文献１には、印刷依頼ごとにジョブの印刷可否の判断を行う機能や、出力機器の制限を設定する機能が開示されている。
【先行技術文献】
【特許文献】
【０００３】
【特許文献１】特開２００４−１５２１０８号公報
【発明の概要】
【発明が解決しようとする課題】
【０００４】
しかしながら、上述のような従来の技術では、作成された文書ファイルを、プリンタコントローラを介して印刷すると、ビットマップ化された画像データ（ビットマップデータ）はプリンタコントローラ内に保存され、ジョブスプーラユーティリティ等を利用して閲覧や操作が可能であるため、秘匿性を維持することができないという問題があった。同様に、ビットマップデータを他のファイル形式に変換する場合においても、秘匿性が保証されていないという問題があった。
【０００５】
本発明の課題は、印刷出力に際して作成されたビットマップデータの再利用時における機密性を確保することである。
【課題を解決するための手段】
【０００６】
上記課題を解決するため、請求項１に記載の発明は、第１パスワードを要求する印刷出力に際して作成されたビットマップデータを再利用するための画像操作装置であって、
操作者からの入力を受け付ける操作部と、前記操作部から入力された情報と、前記第１パスワードを参照して生成された前記ビットマップデータの再利用に関する制限情報としての第２パスワードとを照合することによって、前記操作者による前記ビットマップデータの再利用を許可するか否かを判断する制御部と、を備え、前記ビットマップデータの再利用は、所定ファイル形式への変換であることを特徴としている。
制御部は、専用処理回路を用いたハードウェア構成であってもよく、また、例えば中央演算回路のような汎用処理回路がソフトウェアと協働する構成であってもよい。
【０００７】
請求項２に記載の発明は、請求項１に記載の画像操作装置において、前記第２パスワードは、前記第１パスワードと同一のパスワードであることを特徴としている。
【０００８】
請求項３に記載の発明は、請求項1又は２に記載の画像操作装置において、前記制御部は、前記操作者に前記ビットマップデータの所定ファイル形式への変換を許可した後、操作後の所定ファイル形式のデータファイルに前記制限情報を適用するか否かの選択を促す情報を通知することを特徴としている。
【０００９】
請求項４に記載の発明は、請求項３に記載の画像操作装置において、各種情報を表示する表示部を備え、前記制御部は、前記選択を促す情報を前記表示部に表示することを特徴としている。
【発明の効果】
【００１０】
本発明によれば、印刷出力に際して作成されたビットマップデータの再利用時における機密性を確保することが可能となる。
【００１１】
特に、ビットマップデータの再利用に関する制限情報が、印刷出力に必要な第１パスワードと同一であることにより、操作者のワークフローの簡易化を図ることが可能となる。
【図面の簡単な説明】
【００１２】
【図１】本実施形態の印刷システムの構成を示す図である。
【図２】クライアントＰＣの主要部構成を示すブロック図である。
【図３】プリンタコントローラの主要部構成を示すブロック図である。
【図４】プリンタの主要部構成を示すブロック図である。
【図５】印刷指示をする際にクライアントＰＣにおいて実行される処理を示すフローチャートである。
【図６】印刷時にプリンタコントローラにおいて実行される処理を示すフローチャートである。
【図７】プリンタコントローラのハードディスクに記憶されたビットマップデータテーブルのデータ構成を示す図である。
【図８】印刷時にプリンタにおいて実行される処理を示すフローチャートである。
【図９】プリンタコントローラにおいて実行されるビットマップデータの再利用処理を示すフローチャートである。
【図１０】プリンタコントローラの表示部に表示される、印刷処理済の印刷ジョブのリストの一例を示す図である。
【図１１】プリンタコントローラの表示部に表示される利用権限設定ダイアログの一例を示す図である。
【発明を実施するための形態】
【００１３】
以下、図面を参照して、本発明の実施形態について説明する。
まず、本実施形態における構成について説明する。
【００１４】
図１に、本発明の実施形態に係る印刷システム１０の全体構成を示す。印刷システム１０は、図１に示すように、クライアントＰＣ（Personal Computer）１、プリンタコント
ローラ２、プリンタ３により構成され、これらは通信ネットワークＮを介して相互に通信可能に接続される。
【００１５】
通信ネットワークＮは、イーサネット（登録商標）、トークンリング、ＦＤＤＩ（Fiber Distributed Data Interface）等の規格によりコンピュータやネットワーク機器同士を接続したＬＡＮ（Local Area Network）や、ＬＡＮ同士を専用線で接続したＷＡＮ（Wide
Area Network）等から構成される。
【００１６】
なお、印刷システム１０を構成するクライアントＰＣ１、プリンタコントローラ２、プリンタ３の台数は特に限定されない。また、図１では、プリンタコントローラ２とプリンタ３が通信ネットワークＮを介して接続されている場合を示しているが、本実施形態は必ずしもこれに限定されるものではない。例えば、ＩＥＥＥ１３９４などの規格に従ったインターフェイスを介して接続されていてもよい。
【００１７】
また、図１では、プリンタコントローラ２とプリンタ３が別体である場合を示しているが、両者の機能を一つの筐体に一体的に備えた画像形成装置を用いてもよい。更に、プリンタ３の代わりに、複写機、スキャナ、プリンタ等の複数の機器の機能を１台にまとめた複合機（ＭＦＰ：Multi Function Peripheral）などの画像形成装置を用いてもよい。
【００１８】
クライアントＰＣ１で作成された印刷ジョブ（各種アプリケーションソフトウェアで作成されたドキュメントデータ、定型業務システムからの帳票データ、或いは画像処理ソフトウェアなどにより作成された画像データなどの各種データに基づいてプリンタドライバにより作成される）は、プリンタコントローラ２に送信される。プリンタコントローラ２は、クライアントＰＣ１から送信された印刷ジョブをプリンタ３が画像形成するための画像データ（ビットマップデータ）に変換する。
【００１９】
次に、クライアントＰＣ１、プリンタコントローラ２、プリンタ３の各機器の構成について説明するが、各機器で同様の機能を有する部分については、説明の重複を避けるため初回のみその説明を行い、２回目以降はその説明を省略する。
【００２０】
図２に、クライアントＰＣ１の主要部構成を示す。クライアントＰＣ１は、一般的なパーソナルコンピュータであり、図２に示すように、クライアントＰＣ１全体の制御を行うＣＰＵ（Central Processing Unit：中央処理装置）１０１、各種プログラムやデータを
格納するためのＲＯＭ（Read Only Memory）１０２、作業領域として一時的にプログラムやデータを記憶するためのＲＡＭ（Random Access Memory）１０３、図示しないフレキシブルディスクを読み取るためのＦＤＤ（フレキシブルディスクドライブ）１０４、図示しないＣＤ−ＲＯＭを読み取るためのＣＤＤ（コンパクトディスクドライブ）１０５、ＣＰＵが実行するプログラムやデータを記憶するためのハードディスク１０６、各種情報を表示するための液晶ディスプレイ等の表示部１０７、各種指示の入力のためのキーボードやマウス等から構成される操作部１０８、通信ネットワークＮに接続するためのＬＡＮカードなどのネットワークインターフェイス１０９を含み、これらは信号をやり取りするためのバス１１０を介して相互に接続されている。
【００２１】
ＣＰＵ１０１は、操作部１０８により、作成された原稿の印刷が指示された場合、印刷対象のアプリケーションファイル形式のデータからＰＤＬ（Page Description Language
：ページ記述言語）ファイル形式のデータ（ＰＤＬデータ）に変換する。特に、機密印刷が指示された場合、ＣＰＵ１０１は、機密印刷の有無情報と、操作部１０８により入力された第１パスワードを機密印刷情報としてＰＤＬデータ内に記録する。
【００２２】
ハードディスク１０６は、プリンタの制御を行うプリンタドライバや、データ送受信用のアプリケーションを記憶することができる。ここで、ハードディスク１０６に記憶されるプリンタドライバは、プリンタを制御するためのソフトウェアであり、ＣＰＵ１０１により、アプリケーションから受け取った文宇や画像のデータをプリンタが解釈することのできるＰＤＬデータに変換し、印刷ジョブを作成するものである。また、プリンタドライバには、複数ページを縮小して１枚の用紙に印刷する割り付け機能や、プリンタの状態を監視して用紙切れやトナー切れを警告する機能などが備わっている。
【００２３】
図３に、プリンタコントローラ２の主要部構成を示す。プリンタコントローラ２は、プリンタ用のサーバコンピュータであり、図３に示すように、ＣＰＵ２０１、ＲＯＭ２０２、ＲＡＭ２０３、ＦＤＤ２０４、ＣＤＤ２０５、ハードディスク２０６、表示部２０７、操作部２０８、ネットワークインターフェイス２０９及び通信部２１０を含み、これらは信号をやり取りするためのバス２１１を介して相互に接続されている。
【００２４】
ＣＰＵ２０１は、クライアントＰＣ１から受信されたＰＤＬデータをビットマップデータに変換してハードディスク２０６に保存させる。特に、ＰＤＬデータに機密印刷情報が含まれる場合、ＣＰＵ２０１は、機密印刷情報に含まれる第１パスワードから、ビットマップデータの再利用に関する制限情報（第２パスワード）を生成し、その制限情報とビットマップデータを関連付けてハードディスク２０６に保存させる。本実施形態では、第１パスワードと第２パスワードが同一であるものとする。
【００２５】
また、ＣＰＵ２０１は、ハードディスク２０６に記憶されたビットマップデータの再利用が指示された場合、当該ビットマップデータの再利用に関する制限情報と、操作部２０８から入力されたパスワードとを照合し、当該ビットマップデータの再利用を許可するか否かを判断する。
【００２６】
ハードディスク２０６には、例えば、データ送受信用のアプリケーションや、外部のクライアントＰＣ１から受信した印刷ジョブにおけるＰＤＬデータをビットマップデータに変換するプログラムが記憶される。また、ハードディスク２０６には、ビットマップデータと、その再利用に関する制限情報が関連付けられて記憶される。
【００２７】
通信部２１０は、例えば、ＩＥＥＥ１３９４シリアルバスのインターフェイスとその制御部分とから構成され、ＩＥＥＥ１３９４シリアルバスを介して、各種データを送受信する。
【００２８】
図４に、プリンタ３の主要部構成を示す。プリンタ３は、プリンタコントローラ２からの指示に基づき、プリンタコントローラ２で生成されたビットマップデータを用紙上に印刷するものであり、図４に示すように、ＣＰＵ３０１、ＲＯＭ３０２、ＲＡＭ３０３、操作パネル部３０４、印刷部３０５、ネットワークインターフェイス３０６及び通信部３０７を含み、これらは信号をやり取りするためのバス３０８を介して相互に接続されている。
【００２９】
ＣＰＵ３０１は、プリンタコントローラ２から機密印刷が指示された場合、操作パネル３０４にパスワード入力ダイアログを表示させてパスワード入力を促し、正しいパスワードが入力された場合に、印刷部３０５に印刷処理を指示する。
【００３０】
操作パネル部３０４は、各種情報の表示および各種指示の入力に使用されるもので、ＬＣＤ（Liquid Crystal Display）等の表示ディスプレイを覆うように設けられ、電磁誘導式、磁気歪式、感圧式等の座標読み取り原理でタッチ指示された座標を検出し、検出した座標を位置信号としてＣＰＵ３０１に出力する。
【００３１】
印刷部３０５は、ＣＰＵ３０１からの印刷制御信号に従って、画像データを所定の印刷方式(例えば、レーザビーム方式)により用紙に印刷する。
【００３２】
なお、クライアントＰＣ１、プリンタコントローラ２、プリンタ３は、上述の構成要素以外の構成要素を含んでいてもよく、或いは、上述の構成要素のうちの一部が含まれていなくてもよい。
【００３３】
次に、本実施形態における動作について説明する。
まず、図５のフローチャートを参照して、印刷指示をする際にクライアントＰＣ１において実行される処理について説明する。
【００３４】
クライアントＰＣ１にインストールされたアプリケーションにより作成された原稿の機密印刷を行う場合、まず、プリンタドライバが開かれ（ステップＳ１）、プリンタドライバのＧＵＩ(Graphical User Interface)画面が表示部１０７に表示される。このＧＵＩ画面には、機密印刷に必要なパスワードの入力ダイアログが含まれている。
【００３５】
操作者により、ＧＵＩ画面にパスワード（第１パスワード）が入力されると（ステップＳ２）、アプリケーションファイル形式のデータからＰＤＬファイル形式のデータ（ＰＤＬデータ）に変換される（ステップＳ３）。ステップＳ２で入力されたパスワードは、ＰＤＬファイル形式に変換される際にＰＤＬデータ内に格納される。
【００３６】
ＰＤＬデータ内には、具体的に、機密印刷指示の有無及びパスワードが以下のように設定される。下記では、機密印刷が指示され、且つパスワードが“private”である例を示
している。
SECURITY＝ON
PASSWORD＝private
【００３７】
機密印刷指示の有無情報及びパスワードを含むＰＤＬデータは、通信ネットワークＮを介してプリンタコントローラ２に送信され（ステップＳ４）、クライアントＰＣ１における処理が終了する。
【００３８】
次に、図６のフローチャートを参照して、ＰＤＬデータを受信するプリンタコントローラ２において実行される処理について説明する。
【００３９】
クライアントＰＣ１からＰＤＬデータが受信されると（ステップＳ１０）、当該ＰＤＬデータがビットマップデータに変換される（ステップＳ１１）。また、このとき、ＰＤＬデータに含まれる機密印刷指示の有無情報から、機密印刷が設定されているか否かが判定される（ステップＳ１２）。
【００４０】
ステップＳ１２において、機密印刷が設定されていると判定された場合（ステップＳ１２；ＹＥＳ）、ＰＤＬデータに含まれる第１パスワードから、ビットマップデータの再利用に関する制限情報（第２パスワード）が生成され（ステップＳ１３）、機密印刷の有無情報、当該制限情報及びステップＳ１１で作成されたビットマップデータが関連付けられてハードディスク２０６に保存される（ステップＳ１４）。本実施形態では、ステップＳ１４で保存される制限情報としての第２パスワードと、クライアントＰＣ１で設定された第１パスワードが同一であるものとする。
【００４１】
ビットマップデータに関する情報は、印刷ジョブ毎にハードディスク２０６に保存される。図７に、ハードディスク２０６に保存されるビットマップデータテーブルのデータ構成の一例を示す。図７に示すように、ビットマップデータテーブルは、印刷ジョブ毎に、ジョブ番号（Job No.）、ファイル名（File Name）、印刷ジョブの状況（Status）、ジョブクラス（Job Class）、オーナー名（Owner）、日付（Date）、機密印刷の有無（Security Print）、パスワード（図示略）、データ容量（図示略）等の項目により構成される。印刷が終了すると、ビットマップデータテーブルのStatus項目は“Printed”となる。ま
た、機密印刷が設定されている場合、Security Print項目は“Yes”となる。
【００４２】
次いで、ステップＳ１１で作成されたビットマップデータとともに、クライアントＰＣ１のプリンタドライバにおいて設定された後処理指示（パンチ、ステープル等）、機密印刷の有無情報及び利用制限情報としてのパスワードが印刷データとしてプリンタ３に送信される（ステップＳ１５）。
【００４３】
ステップＳ１２において、機密印刷が設定されていないと判定された場合（ステップＳ１２；ＮＯ）、ステップＳ１１で作成されたビットマップデータがハードディスク２０６に保存され（ステップＳ１４）、当該ビットマップデータとともに、クライアントＰＣ１のプリンタドライバにおいて設定された後処理指示及び機密印刷の有無情報が印刷データとしてプリンタ３に送信される（ステップＳ１５）。機密印刷が設定されていない場合、図７のビットマップデータテーブルのSecurity Print項目は“No”となる。
【００４４】
次に、図８のフローチャートを参照して、プリンタ３において実行される処理について説明する。
【００４５】
プリンタコントローラ２から印刷データが受信されると（ステップＳ２０）、当該印刷データから、機密印刷が設定されているか否かが判定される（ステップＳ２１）。ステップＳ２１において、機密印刷が設定されていないと判定された場合（ステップＳ２１；ＮＯ）、ステップＳ２０で受信された印刷データに基づいて印刷処理が行われる（ステップＳ２５）。
【００４６】
ステップＳ２１において、機密印刷が設定されていると判定された場合（ステップＳ２１；ＹＥＳ）、操作パネル部３０４に、パスワードの入力ダイアログが表示され、パスワードの入力が促される。パスワード入力ダイアログにパスワードが入力されると（ステップＳ２２）、その入力されたパスワードと、印刷データに含まれるパスワードを照合することによって、入力されたパスワードが正しいか否かが判定される（ステップＳ２３）。
【００４７】
ステップＳ２３において、入力されたパスワードが正しくないと判定された場合（ステップＳ２３；ＮＯ）、操作パネル３０４に警告画面が表示され（ステップＳ２４）、ステップＳ２２に戻り、再度、パスワードの入力が促される。ステップＳ２３において、入力されたパスワードが正しいと判定された場合（ステップＳ２３；ＹＥＳ）、ステップＳ２０で受信された印刷データに基づいて印刷処理が行われる（ステップＳ２５）。
【００４８】
次に、図９のフローチャートを参照して、プリンタコントローラ２に保存されたビットマップデータの再利用処理について説明する。
【００４９】
なお、クライアントＰＣ１から通信ネットワークＮを介した遠隔操作によって、プリンタコントローラ２に保存されたビットマップデータを再利用することが可能であるが、図９では、プリンタコントローラ２を用いて、ビットマップデータの再利用の操作を行う場合について説明する。また、ビットマップデータの再利用の内容として、再印刷、画像の編集、他のファイル形式への変換（例えば、ＰＤＦファイルへの変換）等があるが、本実施形態では、他のファイル形式への変換を行う場合について説明する。
【００５０】
まず、プリンタコントローラ２に搭載されているユーティリティアプリケーションが起動され、表示部２０７にユーザ認証画面が表示される。次いで、ユーザ認証画面におけるログイン操作によりユーザ認証が行われる（ステップＳ３０）。次いで、印刷処理済の印刷ジョブのリストが表示部２０７に表示され、印刷ジョブリストの中から、操作部２０８の操作によって、再利用の対象となる印刷ジョブが選択される（ステップＳ３１）。
【００５１】
図１０に、表示部２０７に表示される印刷ジョブリストの一例を示す。表示される印刷ジョブは、ハードディスク２０６に記憶されたビットマップデータテーブル（図７参照）内の印刷ジョブのうち、Status項目が“Printed”となっている印刷ジョブである。図１
０では、ファイル名“ccc.doc”、オーナー名“BBB”の印刷ジョブが、再利用対象として選択された例を示している。
【００５２】
印刷ジョブが選択されると、その選択された印刷ジョブが機密印刷で出力されたものであるか否かが判定される（ステップＳ３２）。ステップＳ３２において、選択された印刷ジョブが機密印刷で出力されたものではないと判定された場合（ステップＳ３２；ＮＯ）、表示部２０７に、ファイル形式の選択画面が表示され、操作部２０８の操作により、変換を行うファイル形式が選択される（ステップＳ４１）。次いで、ビットマップデータから、ステップＳ４１で選択されたファイル形式への変換処理が行われ（ステップＳ４２）、変換後のファイルがハードディスク２０６に保存され（ステップＳ４３）、本再利用処理が終了する。
【００５３】
ステップＳ３２において、選択された印刷ジョブが機密印刷で出力されたものであると判定された場合（ステップＳ３２；ＹＥＳ）、表示部２０７に、パスワードの入力ダイアログが表示され、パスワードの入力が促される。パスワード入力ダイアログにパスワードが入力されると（ステップＳ３３）、その入力されたパスワードと、選択された印刷ジョブのパスワードを照合することによって、入力されたパスワードが正しいか否かが判定される（ステップＳ３４）。
【００５４】
ステップＳ３４において、入力されたパスワードが正しくないと判定された場合（ステップＳ３４；ＮＯ）、表示部２０７に警告画面が表示され（ステップＳ３５）、ステップＳ３３に戻り、再度、パスワードの入力が促される。ステップＳ３４において、入力されたパスワードが正しいと判定された場合（ステップＳ３４；ＹＥＳ）、該当する印刷ジョブのビットマップデータの操作が許可される（ステップＳ３６）。操作許可に必要なパスワードは、クライアントＰＣ１において設定されたパスワード（第１パスワード）と同一である。
【００５５】
次いで、表示部２０７に、ファイル形式の選択画面が表示され、操作部２０８の操作により、変換を行うファイル形式が選択される（ステップＳ３７）。次いで、ビットマップデータから、ステップＳ３７で選択されたファイル形式への変換処理が行われる（ステップＳ３８）。次いで、ステップＳ３８で得られた変換後のファイルに、ステップＳ３３で入力されたパスワードが埋め込まれ（ステップＳ３９）、パスワードが埋め込まれたファイルがハードディスク２０６に保存され（ステップＳ４０）、本再利用処理が終了する。
【００５６】
ビットマップデータからＰＤＦ形式に変換された場合、ステップＳ３９では、例えば、以下のように、ＰＤＦファイル内にパスワードが記録される。下記では、“private”が
パスワードのStringに相当する。
0 obj
<<
/Filter/Standard private
【００５７】
上記のように、ＰＤＦファイル内にパスワードを記録することにより、このＰＤＦファイルを操作するときには、パスワードの入力が必要となり、当該ＰＤＦファイルの秘匿性を維持することが可能となる。
【００５８】
なお、ＰＤＦファイルのデジタルＩＤの機能を用いることによって、ＰＤＦファイルに対する利用権限を付与することが可能である。この場合、ファイル形式を変換する際に、表示部２０７に、図１１に示すような利用権限設定ダイアログが表示され、操作者は、この利用権限設定ダイアログに示された複数の項目の中から、任意の権限を選択することが可能である。
【００５９】
図１１の利用権限設定ダイアログで入力された設定内容は、以下のように、ＰＤＦファイル内に記録される。
…Reference[<</Type/SigRef/TransformMethod/DocMDP/TransformParams<</Type/TransformParams/PX/V/1.2>>/…
【００６０】
ここで、“PX”（X＝１、２、３）は、利用権限を示す識別子である。ＰＤＦの場合、
各“PX”は下記のような意味を表している。
Ｐ１：文書の変更を許可しない；
Ｐ２：フォームフィールドの作成のみを許可；
Ｐ３：注釈の作成及びフォームフィールドの作成のみを許可．
【００６１】
ここで、フォームフィールドとは、フォーム内の値を入力する箇所を表す。また、「フォームフィールドの作成のみを許可」という利用権限項目は、ＰＤＬデータが、ビットマップデータを介さずに直接ＰＤＦファイルに変換された場合に有効である。なお、利用権限設定ダイアログの利用権限を示す項目として、図１１に示した項目以外に、例えば、「色変換を許可しない」、「印刷を許可しない」等の項目を設けるようにしてもよい。
【００６２】
以上のように、本実施形態の印刷システム１０によれば、クライアントＰＣ１で設定された機密印刷情報を、ラスタライズ後の画像データ（ビットマップデータ）に反映させることにより、ビットマップデータから他のファイル形式に変換された画像データ（例えば、ＰＤＦファイル）を利用する場合（例えば、Scan to E-mail等の機能で使用する場合）においても、当該画像データの秘匿性を維持することが可能となる。
【００６３】
更に、ビットマップデータの操作時や、他のファイル形式に変換されたデータの利用時に、機密印刷の際に設定されたパスワード（第１パスワード）と同一のパスワードを利用することにより、操作者のワークフローの簡易化を図ることが可能となる。
【符号の説明】
【００６４】
１  クライアントＰＣ
２  プリンタコントローラ
３  プリンタ
１０  印刷システム
１０１、２０１、３０１  ＣＰＵ
１０２、２０２、３０２  ＲＯＭ
１０３、２０３、３０３  ＲＡＭ
１０４、２０４  ＦＤＤ
１０５、２０５  ＣＤＤ
１０６、２０６  ハードディスク
１０７、２０７  表示部
１０８、２０８  操作部
１０９、２０９、３０６  ネットワークインターフェイス
２１０、３０７  通信部
３０４  操作パネル部
３０５  印刷部
【図１】
0004743281.tif 000002
【図２】
0004743281.tif 000003
【図３】
0004743281.tif 000004
【図４】
0004743281.tif 000005
【図５】
0004743281.tif 000006
【図６】
0004743281.tif 000007
【図７】
0004743281.tif 000008
【図８】
0004743281.tif 000009
【図９】
0004743281.tif 000010
【図１０】
0004743281.tif 000011
【図１１】
0004743281.tif 000012